(57)【要約】【課題】同じ画像を表示し続けることで生じるディスプレイの焼き付きを防止する、ことを目的とする。【解決手段】ノートＰＣは、ＯＥＬＤの画面における位置が固定されて表示されるタスクバーの位置を取得し、タスクバーに隣接する画素の色である隣接画素の色を抽出し、抽出した隣接色を基準とした色のオーバレイウィンドウを生成する。オーバレイウィンドウの色は、半透明であり、隣接画素から遠ざかるに連れて、隣接色から黒色に連続的に変化する。ノートＰＣは、オーバレイウィンドウをタスクバーに重ねてＯＥＬＤに表示させる。【選択図】図６
2018005172.tif 000002
【特許請求の範囲】
【請求項１】
画像を表示するディスプレイと、
前記ディスプレイの画面における位置が固定されて表示される固定画像の位置を取得する位置取得部と、
前記固定画像に隣接する画素である隣接画素の色を隣接色として抽出する色抽出部と、
前記隣接色を基準とした色のマスクを生成するマスク生成部と、
前記マスクを前記固定画像に重ねて前記ディスプレイに表示させる画像表示制御部と、
を備える情報処理装置。
【請求項２】
前記マスクの色は、半透明である請求項１記載の情報処理装置。
【請求項３】
前記マスクの色は、前記隣接画素から遠ざかるに連れて、前記隣接色から黒色に連続的に変化する請求項２記載の情報処理装置。
【請求項４】
前記色抽出部は、複数の前記隣接画素の色の平均値を前記隣接色とする請求項１記載の情報処理装置。
【請求項５】
前記マスクは、前記固定画像にカーソルが位置していない前記固定画像に重ねられ、カーソルが位置している前記固定画像には重ねられない請求項１記載の情報処理装置。
【請求項６】
前記マスクの色は、前記隣接色が切り替わる毎に更新される請求項１記載の情報処理装置。
【請求項７】
前記画像表示制御部は、前記固定画像を所定時間間隔で縦方向及び横方向の少なくとも一方へ、所定の移動量毎に繰り返し移動させる請求項１記載の情報処理装置。
【請求項８】
前記移動量は、ユーザが前記固定画像の移動を認識できない量である請求項７記載の情報処理装置。
【請求項９】
前記固定画像は、タスクバーである請求項１記載の情報処理装置。
【請求項１０】
画像を表示するディスプレイと、
前記ディスプレイの画面における位置が固定されて表示される固定画像の位置を取得する位置取得部と、
前記固定画像を所定時間間隔で縦方向及び横方向の少なくとも一方へ、所定の移動量毎に繰り返し移動させる画像表示制御部と、
を備える情報処理装置。
【請求項１１】
前記移動量は、ユーザが前記固定画像の移動を認識できない量である請求項１０記載の情報処理装置。
【請求項１２】
画像を表示するディスプレイを備える情報処理装置の焼き付き防止方法であって、
前記ディスプレイの画面における位置が固定されて表示される固定画像の位置を取得する第１工程と、
前記固定画像に隣接する画素である隣接画素の色を隣接色として抽出する第２工程と、
前記隣接色を基準とした色のマスクを生成する第３工程と、
前記マスクを前記固定画像に重ねて前記ディスプレイに表示させる第４工程と、
を有する焼き付き防止方法。
【請求項１３】
画像を表示するディスプレイを備える情報処理装置の焼き付き防止方法であって、
前記ディスプレイの画面における位置が固定されて表示される固定画像の位置を取得する第１工程と、
前記固定画像を所定時間間隔で縦方向及び横方向の少なくとも一方へ、所定の移動量毎に繰り返し移動させる第２工程と、
を有する焼き付き防止方法。
【請求項１４】
画像を表示するディスプレイを備える情報処理装置が備えるコンピュータを、
前記ディスプレイの画面における位置が固定されて表示される固定画像の位置を取得する位置取得部と、
前記固定画像に隣接する画素である隣接画素の色を隣接色として抽出する色抽出部と、
前記隣接色を基準とした色のマスクを生成するマスク生成部と、
前記マスクを前記固定画像に重ねて前記ディスプレイに表示させる画像表示制御部と、
して機能させるプログラム。
【請求項１５】
画像を表示するディスプレイを備える情報処理装置が備えるコンピュータを、
前記ディスプレイの画面における位置が固定されて表示される固定画像の位置を取得する位置取得部と、
前記固定画像を所定時間間隔で縦方向及び横方向の少なくとも一方へ、所定の移動量毎に繰り返し移動させる画像表示制御部と、
して機能させるプログラム。
【請求項１６】
画像を表示するディスプレイと、
前記ディスプレイの画面に固定的に表示される表示対象物である固定画像の表示色を、当該固定画像に隣接する部分の表示色を基準とした色で前記ディスプレイに表示させる画像表示制御部と、
を備える情報処理装置。
【請求項１７】
前記画像表示制御部は、前記固定画像に隣接する部分から離れるにしたがって所定の範囲で、前記固定画像に隣接する部分の表示色から徐々に変化する色で、前記固定画像を表示する請求項１６に記載の情報処理装置。
【請求項１８】
前記画像表示制御部は、前記固定画像の隣接部分が複数に分割された領域毎に、前記固定画像の表示色を決定し、前記分割された領域の位置に対応する前記固定画像内の領域毎に前記決定された表示色で前記固定画像の表示を行う請求項１６または請求項１７に記載の情報処理装置。
【請求項１９】
画像を表示するディスプレイを備える情報処理装置の焼き付き防止方法であって、
前記ディスプレイの画面に固定的に表示される表示対象物である固定画像の表示色を、当該固定画像に隣接する部分の表示色を基準とした色で前記ディスプレイに表示させる
焼き付き防止方法。
【請求項２０】
画像を表示するディスプレイを備える情報処理装置が備えるコンピュータを、
前記ディスプレイの画面に固定的に表示される表示対象物である固定画像の表示色を、当該固定画像に隣接する部分の表示色を基準とした色で前記ディスプレイに表示させる画像表示制御部として機能させるプログラム。
【発明の詳細な説明】
【技術分野】
【０００１】
本発明は、情報処理装置、焼き付き防止方法、及びプログラムに関するものである。
【背景技術】
【０００２】
ディスプレイの発光方式は、液晶ディスプレイ（ＬＣＤ：Liquid  Crystal  Display）に代表される非自発光型と、プラズマ・ディスプレイ・パネル（ＰＤＰ：Plasma  Display  Panel）や有機ＥＬディスプレイ（ＯＥＬＤ：Organic  Electro  Luminescence  Display）等の自発光型に大別することができる。自発光型のディスプレイのなかには、画素を構成する発光素子は発光時間が経過すると共に劣化して、同じエネルギー（画素値）を供給しても使用開始時より輝度が低下するいわゆる輝度劣化があらわれやすいものがある。
【０００３】
ある画素を構成する発光素子の輝度劣化が周囲の画素を構成する発光素子よりも劣化すると、それらの画素に同一の色を表示する画素値を設定したときに劣化した発光素子の存在が人間の目で認識できる状態となる、いわゆる焼き付き現象が発生する。例えば、白色を表示し続けている画素と黒色を表示し続けている画素とで輝度劣化に差が生じる。このため、輝度劣化に差が生じた領域では、輝度劣化が弱い部分と強い部分の差が発色の違いが焼き付きとして視認されてしまう。
【０００４】
特許文献１には、発光素子の焼き付きを防止するために、人間に色の変化を感じさせないようにしながら、固定パターンを表示する発光素子の輝度劣化量と背景画像を表示する発光素子の輝度劣化量を等しくする発明が開示されている。
【先行技術文献】
【特許文献】
【０００５】
【特許文献１】特開２０１１−１７７４６号公報
【発明の概要】
【発明が解決しようとする課題】
【０００６】
有機ＥＬでは、他の発光方式に比べて輝度劣化の進行が早いため、焼き付きが発生しやすい。例えば、デスクトップに表示されるタスクバーやアイコン等、位置がほとんど変化せずに表示され続ける画像の領域は特に焼き付き易い。このため、画像や動画をフルスクリーン表示させた場合等にタスクバー等の画像が残像として視認される場合がある。
【０００７】
本発明は、このような事情に鑑みてなされたものであって、同じ画像を表示し続けることで生じるディスプレイの焼き付きを防止できる、情報処理装置、焼き付き防止方法、及びプログラムを提供することを目的とする。
【課題を解決するための手段】
【０００８】
本発明の第一態様に係る情報処理装置は、画像を表示するディスプレイと、前記ディスプレイの画面における位置が固定されて表示される固定画像の位置を取得する位置取得部と、前記固定画像に隣接する画素である隣接画素の色を隣接色として抽出する色抽出部と、前記隣接色を基準とした色のマスクを生成するマスク生成部と、前記マスクを前記固定画像に重ねて前記ディスプレイに表示させる画像表示制御部と、を備える。
【０００９】
本発明の第二態様に係る情報処理装置は、画像を表示するディスプレイと、前記ディスプレイの画面における位置が固定されて表示される固定画像の位置を取得する位置取得部と、前記固定画像を所定時間間隔で縦方向及び横方向の少なくとも一方へ、所定の移動量毎に繰り返し移動させる画像表示制御部と、を備える。
【００１０】
本発明の第三態様に係る焼き付き防止方法は、画像を表示するディスプレイを備える情報処理装置の焼き付き防止方法であって、前記ディスプレイの画面における位置が固定されて表示される固定画像の位置を取得する第１工程と、前記固定画像に隣接する画素である隣接画素の色を隣接色として抽出する第２工程と、前記隣接色を基準とした色のマスクを生成する第３工程と、前記マスクを前記固定画像に重ねて前記ディスプレイに表示させる第４工程と、を有する。
【００１１】
本発明の第四態様に係る焼き付き防止方法は、画像を表示するディスプレイを備える情報処理装置の焼き付き防止方法であって、前記ディスプレイの画面における位置が固定されて表示される固定画像の位置を取得する第１工程と、前記固定画像を所定時間間隔で縦方向及び横方向の少なくとも一方へ、所定の移動量毎に繰り返し移動させる第２工程と、
を有する。
【００１２】
本発明の第五態様に係るプログラムは、画像を表示するディスプレイを備える情報処理装置が備えるコンピュータを、前記ディスプレイの画面における位置が固定されて表示される固定画像の位置を取得する位置取得部と、前記固定画像に隣接する画素である隣接画素の色を隣接色として抽出する色抽出部と、前記隣接色を基準とした色のマスクを生成するマスク生成部と、前記マスクを前記固定画像に重ねて前記ディスプレイに表示させる画像表示制御部と、して機能させる。
【００１３】
本発明の第六態様に係るプログラムは、画像を表示するディスプレイを備える情報処理装置が備えるコンピュータを、前記ディスプレイの画面における位置が固定されて表示される固定画像の位置を取得する位置取得部と、前記固定画像を所定時間間隔で縦方向及び横方向の少なくとも一方へ、所定の移動量毎に繰り返し移動させる画像表示制御部と、して機能させる。
【００１４】
本発明の第七態様に係る情報処理装置は、画像を表示するディスプレイと、前記ディスプレイの画面に固定的に表示される表示対象物である固定画像の表示色を、当該固定画像に隣接する部分の表示色を基準とした色で前記ディスプレイに表示させる画像表示制御部と、を備える。
【００１５】
本発明の第八態様に係る焼き付き防止方法は、画像を表示するディスプレイを備える情報処理装置の焼き付き防止方法であって、前記ディスプレイの画面に固定的に表示される表示対象物である固定画像の表示色を、当該固定画像に隣接する部分の表示色を基準とした色で前記ディスプレイに表示させる。
【００１６】
本発明の第九態様に係るプログラムは、画像を表示するディスプレイを備える情報処理装置が備えるコンピュータを、前記ディスプレイの画面に固定的に表示される表示対象物である固定画像の表示色を、当該固定画像に隣接する部分の表示色を基準とした色で前記ディスプレイに表示させる画像表示制御部として機能させる。
【発明の効果】
【００１７】
本発明によれば、同じ画像を表示し続けることで生じるディスプレイの焼き付きを防止できる、という効果を有する。
【図面の簡単な説明】
【００１８】
【図１】図１は、本発明の実施形態に係るノートＰＣの概略外観図である。
【図２】図２は、本発明の実施形態に係るノートＰＣの電気的構成を示すブロック図である。
【図３】図３は、本発明の実施形態に係るＯＥＬＤに表示されるタスクバーのを示す図である。
【図４】図４は、本発明の実施形態に係るタスクバーに半透明ウィンドウを重ねた例を示す図である。
【図５】図５は、本発明の実施形態に係る焼き付き防止機能に関する機能ブロック図である。
【図６】図６は、本発明の実施形態に係る焼き付き防止機能の処理の流れを示すフローチャートである。
【図７】図７は、本発明の実施形態に係るセルを示す模式図である。
【図８】図８は、本発明の実施形態に係るタスクバーの微小量移動を示す図である。
【発明を実施するための形態】
【００１９】
以下に、本発明に係る情報処理装置、焼き付き防止方法、及びプログラムの一実施形態について、図面を参照して説明する。
【００２０】
図１は、本実施形態に係るノートＰＣ１の概略外観図である。
【００２１】
ノートＰＣ１は、図１に示すように一例として、いずれも略直方体である本体側筐体２及びディスプレイ側筐体３を備える。
【００２２】
本体側筐体２は、入力部４を備える。入力部４は、ユーザによる入力操作を行うためのユーザインターフェースであり、文字、コマンド等の入力を受け付ける各種キーより構成されるキーボードや、画面上のカーソルを移動させたり、各種メニューを選択するタッチパッド、マウス、又はトラックポイント等を備えている。また、入力部４は、ソフトウェアキーボードとされてもよい。
【００２３】
ディスプレイ側筐体３は、画像を表示するタッチパネルディスプレイ７を備える。
【００２４】
タッチパネルディスプレイ７は、入力される表示データをビデオ信号に変換し、変換したビデオ信号に応じた各種情報を表示画面に表示すると共に、ユーザの指及びタッチペン等の指示体を用いて行われる各種操作を検出する。
【００２５】
本体側筐体２及びディスプレイ側筐体３は、それぞれの端部で左右一対の連結部８ａ，８ｂによって連結されている。連結部８ａ，８ｂは、ヒンジであり、本体側筐体２及びディスプレイ側筐体３を開閉自在に支持している。
【００２６】
図２は、ノートＰＣ１のハードウェアの構成を示す概略図である。
【００２７】
ノートＰＣ１は、ＣＰＵ（Central  Processing  Unit）２０、ＲＯＭ（Read  Only  Memory）２１、メモリ２２、ＯＥＬＤ２３、グラフィクスアダプタ２４、タッチセンサ２５、入力コントローラ２６、フラッシュメモリ２７、通信デバイス２８、及び電源回路２９を備えており、各部はバス３０を介して直接または間接的に接続されている。なお、タッチパネルディスプレイ７は、ＯＥＬＤ２３とタッチセンサ２５を含んで構成される。
【００２８】
ＣＰＵ２０は、フラッシュメモリ２７に格納されたＯＳ（Operating  System）によりノートＰＣ１全体の制御を行うと共に、フラッシュメモリ２７に格納された各種のプログラムに基づいて、入力部４やタッチパネルディスプレイ７等を介したユーザの操作に応じた処理を実行する機能を有する。
【００２９】
ＲＯＭ２１は、ＢＩＯＳ（Basic  Input/Output  System）や各種データ等を格納している。
【００３０】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００３１】
ＯＥＬＤ２３は、ＣＰＵ２０の制御に従って、グラフィクスアダプタ２４からのビデオ信号を画像として表示する。
【００３２】
グラフィクスアダプタ２４は、ＣＰＵ２０の制御に従って、表示情報をビデオ信号に変換し、変換したビデオ信号をＯＥＬＤ２３に出力する。
【００３３】
タッチセンサ２５は、ＯＥＬＤ２３に対するユーザの指及びタッチペン等のタッチ位置を検出して、入力コントローラ２６に出力する。そして、タッチセンサ２５は、ＯＥＬＤ２３の画面に表示される各種メニュー、アイコン、ボタン、及びキーボード等の画面オブジェクトを選択して入力操作を行ったり、テキストの入力操作や、スクロールやスワイプ等の画面操作がユーザの指やタッチペン等により行われる。
【００３４】
入力コントローラ２６は、プロセッサがＲＯＭ２１等に格納されたプログラムを実行することにより各種処理を行い、タッチセンサ２５の動作を制御する。
【００３５】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。なお、ノートＰＣ１は、フラッシュメモリ２７に替わる記憶手段としてＨＤＤ（Hard  Disk  Drive）等、他の記憶手段を備えてもよい。
【００３６】
通信デバイス２８は、他のデバイスとの間との通信を行う。
【００３７】
電源回路２９は、ＡＣアダプタ、インテリジェント電池、インテリジェント電池を充電するための充電器、及びＤＣ／ＤＣコンバータ等を備えており、ＣＰＵ２０の制御に従って、各デバイスに電力を供給する。
【００３８】
ここで、デスクトップに表示されるタスクバーやアイコン等、ＯＥＬＤ２３の画面における位置がほとんど変化せずに固定的に表示される表示対象物である固定画像の領域は特に焼き付き易い。図３は、タスクバー３１の焼き付きによって輝度劣化の差が生じる領域の例を示す。図３に示すように、デスクトップの下方にタスクバー３１が位置している場合には、タスクバー３１の上部とウィンドウの境目（エッジともいう。）である領域Ａや、タスクバー３１に表示されているアイコン３２とその周辺との境目である領域Ｂに輝度劣化の差が生じる。
【００３９】
そこで、本実施形態に係るノートＰＣ１は、固定画像とその周辺領域との輝度劣化の差を抑制する焼き付き防止機能を有する。焼き付き防止機能は、固定画像に隣接する画素である隣接画素の色を抽出し、抽出した隣接色を基準とした色のマスク（以下「オーバレイウィンドウ」という。）を固定画像の上に重ねて表示する。換言すると、ノートＰＣ１は、固定画像の表示色を、固定画像に隣接する部分の表示色を基準とした色でタッチパネルディスプレイ７に表示させる。
【００４０】
以下の説明では、タスクバー３１を固定画像の一例として説明する。隣接色を基準とした色とは、隣接色と同じ色、隣接色に近い色、隣接色から徐々に変化する色等である。
【００４１】
図４は、オーバレイウィンドウ３３がタスクバー３１に重ねられた状態を示す。
【００４２】
オーバレイウィンドウ３３は、タスクバー３１とそのサイズ（縦及び横の長さ）が同一である。オーバレイウィンドウ３３の色は、一例として、半透明であり、隣接画素から遠ざかるに連れて（図４の例では下方に向けて）、隣接色から黒色に連続的に変化する。すなわち、オーバレイウィンドウ３３の色は、半透明のグラデーションを有する色とされる。なお、タスクバー３１の幅方向（ｘ方向）で隣接色が異なっていると、これに応じて、オーバレイウィンドウ３３の幅方向の色も異なる。
【００４３】
このように、ノートＰＣ１は、オーバレイウィンドウ３３を固定画像（タスクバー３１）に重ねることで、固定画像に隣接する部分から離れるにしたがって所定の範囲で、固定画像に隣接する部分の表示色から徐々に変化する色で、固定画像を表示することとなる。なお、所定の範囲とは、固定画像をタスクバー３１とした図４の例では、タスクバー３１の縦方向全域を示すが、これに限らず、タスクバー３１の上から一部領域とし、残りの下までの領域は変化しない色（例えば黒色）であってもよい。また、図４の例では、隣接色（固定画像に隣接する部分の表示色）から黒色に変化するグラデーションとしたが、変化の最終的な色は黒色に限られず、他の色であってもよい。    
【００４４】
タスクバー３１に対してオーバレイウィンドウ３３が重ねられると、タスクバー３１のエッジの色が隣接画素の色と同様となるので、タスクバー３１が表示された領域とその周辺領域の輝度劣化の差が抑制される。また、図４の例では、タスクバー３１に対して、上から下へ黒に向かってグラデーションをかけられることとなるので、タスクバー３１全体の輝度が下がり、輝度劣化が抑制される。
【００４５】
図５は、焼き付き防止機能に関する機能ブロック図である。
【００４６】
ＣＰＵ２０は、固定画像位置取得部４１、隣接色抽出部４２、オーバレイウィンドウ生成部４３、及び画像表示制御部４４を備える。ＣＰＵ２０が備える各構成部は、フラッシュメモリ２７に記憶されるコンピュータプログラムによって実現される。
【００４７】
固定画像位置取得部４１は、ＯＥＬＤ２３の画面における位置が固定されて表示される固定画像の位置を取得する。
【００４８】
隣接色抽出部４２は、固定画像に隣接する隣接画素の色を隣接色として抽出する。
【００４９】
オーバレイウィンドウ生成部４３は、隣接色を基準としてオーバレイウィンドウ３３の色を決定すると共にオーバレイウィンドウ３３のサイズを決定することで、オーバレイウィンドウ３３を生成する。
【００５０】
画像表示制御部４４は、オーバレイウィンドウ表示制御部４５及び固定画像移動制御部４６を備える。
【００５１】
オーバレイウィンドウ表示制御部４５は、生成されたオーバレイウィンドウ３３を固定画像の上に重ねて表示する。すなわち、オーバレイウィンドウ表示制御部４５は、上述のように、固定画像の表示色を、固定画像に隣接する部分の表示色を基準とした色でタッチパネルディスプレイ７に表示させる。    
【００５２】
オーバレイウィンドウ表示制御部４５は、固定画像にカーソル（マウスカーソル）が位置していない固定画像にオーバレイウィンドウ３３を重ねて表示し、カーソルが位置している固定画像にオーバレイウィンドウ３３を表示しない。例えば、オーバレイウィンドウ３３が重ねられているタスクバー３１にカーソルが移動すると、オーバレイウィンドウ３３は非表示とされ、タスクバー３１は本来の色で表示される。
【００５３】
固定画像移動制御部４６は、固定画像を所定時間間隔で縦方向及び横方向の少なくとも一方へ、所定の移動量毎に繰り返し移動（以下「微小量移動」という。）させる。
【００５４】
図６は、焼き付き防止機能の処理の流れを示すフローチャートである。図７に示される処理は、焼き付き防止機能がオンとされている場合に実行される。
【００５５】
まず、ステップ１００では、ＯＥＬＤ２３の画面における固定画像（タスクバー３１）の位置やサイズを取得する。
【００５６】
次のステップ１０２では、固定画像に隣接するセル４７を決定する。
【００５７】
図７にセル４７の一例を示す。セル４７は、複数の隣接画素をグループ化したものである。画面の位置に応じて各セルの大きさが規定されてもよいし、画面に表示される表示対象物毎に、或は表示対象物内の同色の領域毎にセルの大きさや位置が規定されてもよい。タスクバー３１の幅方向（ｘ方向）を複数に分割し、幅方向に対して直交する高さ方向（ｙ方向）に所定長さを有する領域を１つのセル４７とする。このように、セル４７は、固定画像の隣接部分が複数に分割された領域である。
【００５８】
また、上記幅方向とは、換言すると、隣接画素と接するタスクバー３１の辺が延在する方向である。図７の例では、タスクバー３１が画面の下端部に位置するため、タスクバー３１の上側にセル４７が位置することとなる。幅方向を５１２に分割し、高さ方向に対して１０ピクセルの長さを有する矩形領域が１つのセル４７とされる。
【００５９】
なお、タスクバー３１が画面の上端部に位置すると、タスクバー３１の下側にセル４７が位置する。タスクバー３１が画面の左端部に位置すると、タスクバー３１の右側にセル４７が位置する。タスクバー３１が画面の右端部に位置すると、タスクバー３１の左側にセル４７が位置する。
【００６０】
次のステップ１０４は、セル４７内の画素毎に隣接色を抽出してそれらの平均値を算出し、それをセル４７の隣接色とする。このように、セル４７の隣接色は、各セル４７で決定される。
【００６１】
次のステップ１０６では、オーバレイウィンドウ３３のサイズを決定する。オーバレイウィンドウ３３のサイズは、重ね合せる固定画像のサイズと同じものとする。なお、処理の対象となる固定画像が限定的な場合には、オーバレイウィンドウ３３のサイズを予め設定しておくこともできる。また、ステップ１０６は、ステップ１０４よりも前に実行しておくこともできる。
【００６２】
次のステップ１０８では、オーバレイウィンドウ３３の色を決定する。オーバレイウィンドウ３３の色は、セル４７の位置に対応するオーバレイウィンドウ３３内の領域毎に、セル４７毎に対応した隣接色から黒色へグラデーションを有する色とされる。一例として、Ｒ、Ｇ、Ｂで表される隣接色を始点として黒色を終点とした線形グラデーションが、セル４７毎に算出されることで、オーバレイウィンドウ３３の色が決定される。また、隣接色毎に応じたグラデーションを示すカラーチャートが予めフラッシュメモリ２７に記憶され、これを読み出すことで、オーバレイウィンドウ３３の色が決定されてもよい。
【００６３】
これにより、固定画像の隣接部分が複数に分割されたセル４７毎に、固定画像の表示色が決定され、セル４７の位置に対応する固定画像内の領域毎に決定された表示色で、オーバレイウィンドウ表示制御部４５が固定画像の表示を行うこととなる。
【００６４】
次のステップ１１０では、カーソルが固定画像に位置しているか否かを判定し、肯定判定の場合はステップ１１２へ移行し、否定判定の場合はステップ１１４へ移行する。
【００６５】
ステップ１１２では、カーソルが位置する固定画像に対するオーバレイウィンドウ３３を非表示とし、ステップ１１６へ移行する。
【００６６】
ステップ１１４では、固定画像にオーバレイウィンドウ３３を重ねて表示し、ステップ１１６へ移行する。
【００６７】
ステップ１１６では、操作対象となっているアクティブなウィンドウが切り替わったか否かを判定し、肯定判定の場合はステップ１１８へ移行し、否定判定の場合はステップ１１０へ戻る。ウィンドウの切り替わりとは、アクティブなウィンドウが移動したり、消去されたり、新たなウィンドウが現れたりすることで発生する。ウィンドウが切り替わると、固定画像の隣接色が切り替わる可能性がある。
【００６８】
ステップ１１８では、オーバレイウィンドウ３３の色を更新し、ステップ１１０へ戻る。すなわち、ウィンドウ（隣接色）が切り替わる毎に、隣接色が新たに抽出され、抽出された隣接色がそれまでの隣接色と異なった場合には、オーバレイウィンドウ３３の色も変化することとなる。本実施形態ではアクティブなウィンドウの切り替えをきっかけにオーバレイウィンドウ３３の色を更新しているが、これ以外のきっかけでもよい。例えば、固定画像の隣接画素の色を、或は各セル４７の隣接色を定期的に監視し、隣接画素の色や隣接色の変化があったことをきっかけに、オーバレイウィンドウ３３の色を更新してもよい。
【００６９】
次に、図８を参照して、固定画像の微小量移動について説明する。微小量移動は、ユーザが固定画像の移動を認識できない程度の量で、固定画像を連続して移動させる処理である。例えば、固定画像の表示場所が、１０秒間隔毎に５ピクセル移動する。
【００７０】
図８の例では、タスクバー３１が上方へ移動し（図８（Ａ））、タスクバー３１が右方向へ移動し（図８（Ｂ））、タスクバー３１が下方向へ移動し（図８（Ｃ））、タスクバー３１が左方向へ移動する（図８（Ｄ））。これにより、タスクバー３１は元の場所へ戻ることとなる。タスクバー３１は、図８（Ａ）から図８（Ｄ）の移動を繰り返し行うことにより、表示位置がずれてエッジの位置が固定されないので、周辺領域との輝度劣化の差が小さくなる。なお、タスクバー３１と共に、オーバレイウィンドウ３３も移動する。
【００７１】
以上説明したように、本実施形態に係るノートＰＣ１は、ＯＥＬＤ２３の画面における位置が固定されて表示される固定画像の位置を取得し、固定画像に隣接する隣接画素の色を抽出し、抽出した隣接色を基準とした色のオーバレイウィンドウ３３を生成する。そして、ノートＰＣ１は、オーバレイウィンドウ３３を固定画像に重ねてＯＥＬＤ２３に表示させる。従って、ノートＰＣ１は、同じ画像を表示し続けることで生じるＯＥＬＤ２３の焼き付きを防止できる。
【００７２】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００７３】
例えば、上記実施形態では、ノートＰＣ１はＯＥＬＤ２３を備える形態について説明したが、本発明は、これに限定されるものではなく、ＯＥＬＤ２３の代わりにＬＣＤやＰＤＰ等、他のディスプレイを備える形態としてもよい。
【００７４】
また、上記実施形態では、オーバレイウィンドウ３３の色を半透明とし、グラデーションをかける形態について説明したが、本発明は、これに限定されるものではなく、例えば、グラデーションをかけることなく、オーバレイウィンドウ３３の色を半透明の隣接色とする形態としてもよい。
【００７５】
また、上記実施形態では、セル４７毎に色の平均値を隣接色として算出する形態について説明したが、本発明は、これに限定されるものではなく、例えば、セル４７を基準とすることなく、隣り合う隣接画素の色の平均値を隣接色として算出する等、他の算出方法によって隣接色を算出する形態としてもよい。
【００７６】
また、上記実施形態では、固定画像をタスクバー３１とする形態について説明したが、本発明は、これに限定されるものではなく、固定画像をデスクトップに表示されるアイコンとする形態としてもよい。この形態の場合、アイコンは上下左右の四方に隣接画素を有することとなるため、例えば、オーバレイウィンドウ３３は、アイコンの周囲から中心に向かって、隣接色から黒色に変化するグラデーションがかかった色とされる。
【００７７】
また、上記実施形態では、オーバレイウィンドウ３３が重ねた固定画像が微小量移動する形態について説明したが、本発明は、これに限定されるものではなく、オーバレイウィンドウ３３を重ねることなく、固定画像のみを微小量移動させる形態としてもよい。
【００７８】
また、微小量移動は、縦方向又は横方向の一方のみに、固定画像が移動する形態としてもよい。
【００７９】
また、上記実施形態で説明した焼き付き防止機能の処理の流れも一例であり、本発明の主旨を逸脱しない範囲内において不要なステップを削除したり、新たなステップを追加したり、処理順序を入れ替えたりしてもよい。
【符号の説明】
【００８０】
１    ノートＰＣ（情報処理装置）
２３  ＯＥＬＤ（ディスプレイ）
３１  タスクバー（固定画像）
４２  隣接色抽出部（色抽出部）
４３  オーバレイウィンドウ生成部（マスク生成部）
４４  画像表示制御部
【図１】
2018005172.tif 000003
【図２】
2018005172.tif 000004
【図３】
2018005172.tif 000005
【図４】
2018005172.tif 000006
【図５】
2018005172.tif 000007
【図６】
2018005172.tif 000008
【図７】
2018005172.tif 000009
【図８】
2018005172.tif 000010